(57)【要約】【課題】本発明は、複数種類の光源を配置する場合であっても、導光板の枚数の増大を抑制しつつ、面状光の色および輝度の均一性に優れた面光源装置の提供を目的とする。【解決手段】本発明に係る面光源装置１１０は、複数種類の光源（即ち、第１、第２の光源７１，７２）と、側面に光入射面９ｃ、主面に光出射面９ａを有する導光板９と、導光板９の光出射面９ａと反対側の面（即ち裏面９ｂ）に塗布された複数種類の塗料（即ち第１、第２の塗料）と、を備え、複数種類の光源は、導光板９の光入射面９ｃに対向して配置され、複数種類の塗料は、互いに光散乱特性が異なり、複数種類の塗料は、互いに重ならずに塗布されている。【選択図】図１
2015216037.tif 000002
【特許請求の範囲】
【請求項１】
複数種類の光源と、
側面に光入射面、主面に光出射面を有する導光板と、
前記導光板の前記光出射面と反対側の面に塗布された複数種類の塗料と、
を備え、
前記複数種類の光源は、前記導光板の前記光入射面に対向して配置され、
前記複数種類の塗料は、互いに光散乱特性が異なり、
前記複数種類の塗料は、互いに重ならずに塗布されている、
面光源装置。
【請求項２】
前記複数種類の塗料は、白色であり、
前記複数種類の塗料は、光散乱特性として波長選択性が互いに異なる、
請求項１に記載の面光源装置。
【請求項３】
前記複数種類の塗料は、互いに粒子径の異なる酸化チタンを含む、
請求項２に記載の面光源装置。
【請求項４】
前記複数種類の光源は、ＬＥＤと、レーザーダイオードと、を含む、
請求項１から請求項３のいずれか一項に記載の面光源装置。
【請求項５】
前記複数種類の光源の種類は、出力光の配向角度の種類であり、
前記複数種類の光源の種類の数と、前記複数種類の塗料の種類の数が等しい、
請求項１から請求項４のいずれか一項に記載の面光源装置。
【請求項６】
前記複数種類の光源の種類は、出力光の色の種類であり
前記複数種類の光源の種類の数と、前記複数種類の塗料の種類の数が等しい、
請求項１から請求項４のいずれか一項に記載の面光源装置。
【請求項７】
前記複数種類の塗料のそれぞれは、平面視で複数の点として塗布されており、
前記複数の点のそれぞれの面積は、前記複数種類の光源からの距離に応じて変化する、
請求項１から請求項６のいずれか一項に記載の面光源装置。
【請求項８】
請求項１から請求項７のいずれか一項に記載の面光源装置と、
前記面光源装置に重ねて配置される液晶表示素子と、
を備える、
液晶表示装置。
【発明の詳細な説明】
【技術分野】
【０００１】
本発明は面光源装置および液晶表示装置に関し、例えば、色の異なる複数の光源を用いる面光源装置に関する。
【背景技術】
【０００２】
一般に、液晶表示装置の背面照明（バックライト）として、エッジライト方式の面光源装置を背面照明として使用する場合が多い。エッジライト方式の面光源装置は白色光源を画面の端に配置し、表示画面とほぼ同じ大きさの導光板に白色光源の光を入射させる構成である。導光板の裏面には酸化チタンのように光を散乱させる特性の塗料を特定のパターンで印刷によって塗布して、面状の照明光の輝度を均一に調整していた。エッジライト方式の面光源装置としては、例えば特許文献１、２を参照。
【０００３】
特許文献１に記載のバックライトは白色光源を用いているが、昨今、普及している白色ＬＥＤ光源は色再現範囲が狭く、広色域の液晶表示装置を実現するには不向きである。そこで、複数色の、発光スペクトルの純度が高い光源を取り混ぜて、液晶表示装置の再現可能色域を拡大する方法が採用されている。
【０００４】
色の異なる２種類以上の光源を用いた場合、光源の種類ごとに異なる導光板を用いて光源の出力光を面状光に変換する技術が提案されている。導光板ごとに、光源の種類に適した配置パターンで光散乱物質を配置することにより、色ムラのない均一な面状光を得ることができる。
【先行技術文献】
【特許文献】
【０００５】
【特許文献１】特開平２−１６０２１５号公報
【特許文献２】特開昭５７−１２８３８３号公報
【発明の概要】
【発明が解決しようとする課題】
【０００６】
光源の種類ごとに、複数の導光板を配置した場合、光源の種類が増加すると必要な導光板の枚数も増加する。これにより、面光源装置の重量、厚み、製造コストが増大する問題があった。
【０００７】
本発明は以上のような課題を解決するためになされたものであり、複数種類の光源を配置する場合であっても、導光板の枚数の増大を抑制しつつ、面状光の色および輝度の均一性に優れた面光源装置の提供を目的とする。
【課題を解決するための手段】
【０００８】
本発明に係る面光源装置は、複数種類の光源と、側面に光入射面、主面に光出射面を有する導光板と、導光板の光出射面と反対側の面に塗布された複数種類の塗料と、を備え、複数種類の光源は、導光板の光入射面に対向して配置され、複数種類の塗料は、互いに光散乱特性が異なり、複数種類の塗料は、互いに重ならずに塗布されている。
【発明の効果】
【０００９】
本発明に係る面光源装置によれば、一つの導光板に複数種類の光源からの光が入射する場合であっても、光散乱特性の異なる複数種類の塗料を導光板に塗布することにより、光源の種類ごとに、選択的に光を散乱させることが可能となる。よって、光源の種類ごとに複数の導光板を用意する必要がないため、導光板の枚数を削減することが可能である。つまり、面光源装置の重量、厚み、製造コストの増大を抑制することが可能である。
【図面の簡単な説明】
【００１０】
【図１】本発明の実施形態に係る面光源装置の分解斜視図である。
【図２】本発明の実施形態に係る面光源装置の断面図である。
【図３】本発明の実施形態に係る第１、第２の光源の指向性を説明する図である。
【図４】本発明の実施形態に係る面光源装置に備わる導光板の平面図である。
【図５】前提技術に係る面光源装置の分解斜視図である。
【図６】前提技術に係る面光源装置の断面図である。
【図７】前提技術に係る第１の光源の指向性を説明する図である。
【図８】前提技術に係る第２の光源の指向性を説明する図である。
【図９】前提技術に係る面光源装置に備わる第１の導光板の平面図である。
【図１０】前提技術に係る面光源装置に備わる第２の導光板の平面図である。
【発明を実施するための形態】
【００１１】
＜前提技術＞
＜構成＞
本発明の実施形態を説明する前に、本発明の前提となる技術について説明する。前提技術となる液晶表示装置２００は、２種類の光源と２種類導光板を用いて、面発光の発光色を均一にするように構成されている。図５、図６は、前提技術における面光源装置２１０を含む液晶表示装置２００の分解斜視図と断面図である。
【００１２】
図５および図６に示すように、液晶表示装置２００は、面光源装置２１０、液晶表示素子１、第１の光学シート２、第２の光学シート３を備える。面光源装置２１０は、第１の導光板４、第２の導光板５、反射シート６、複数の第１の光源７１、複数の第２の光源７２を備える。
【００１３】
図７、図８は、本前提技術における第１、第２の光源７１，７２それぞれの指向性を説明する図である。本前提技術において、第１の光源７１は、例えばシアン色ＬＥＤである。第１の光源７１は、図７に示すように、出力光の指向性が比較的低く、かつ、光の到達距離の短い光源である。また、第２の光源７２は、例えば赤色の半導体レーザーダイオードである。第２の光源７２は、図８に示すように、出力光の指向性が比較的高く、かつ、光の到達距離の長い光源とする。ここで、指向性とは、出力光の光軸に対する広がりを指す。指向性が低いとは、出力光の光軸に対する広がり（即ち、配向角度）が大きい、つまり、出力光が広範囲に拡散していることを意味する。一方、指向性が高いとは、出力光の光軸に対する広がり（即ち、配向角度）が小さい、つまり、出力光が狭い範囲に集中していることを意味する。
【００１４】
図９は、第１の導光板４の平面図である。第１の導光板４の裏面４ｂ（反射シート６側の面）には光散乱物質４１が複数の点として配置されている。第１の導光板４の光入射面４ｃに対向して、複数の第１の光源７１が配置される。図１０は、第２の導光板５の平面図である。第２の導光板５の裏面５ｂ（反射シート６側の面）には光散乱物質５１が複数の点として配置されている。第２の導光板５の光入射面５ｃに対向して、複数の第２の光源７２が配置される。なお、前提技術において、光散乱物質４１と光散乱物質５１は同一の物質である。
【００１５】
図６において、散乱光Ｌ４１は、第１の導光板４の内部で全反射を繰り返している光が光散乱物質４１に当たって、第１の導光板４の光出射面４ａから射出された光である。散乱光Ｌ５１は、第２の導光板５の内部で全反射を繰り返している光が光散乱物質５１に当たって、第２の導光板５の光出射面５ａから射出された光である。照明光Ｌ９０は、赤い散乱光Ｌ５１とシアン色の散乱光Ｌ４１とが、第２の光学シート３および第１の光学シート２を通過する過程で混色された白色光である。照明光Ｌ９０は、液晶表示素子１の背面（第１の光学シート２側の面）を照らす。
【００１６】
＜動作＞
第２の光源７２の出力光は、第２の導光板５の光入射面５ｃに入射する。そして、第２の導光板５の中で全反射を繰り返して拡散する。第２の導光板５の中を全反射して拡散した光は、第２の導光板５の裏面５ｂに配置された光散乱物質５１に当たったときに散乱光Ｌ５１となって、第２の導光板５の光出射面５ａ（液晶表示素子１側の面）から射出される。散乱光Ｌ５１は第２の導光板５の光出射面５ａ全体から発せられて、面状の赤い照明光となる。
【００１７】
第１の光源７１の出力光は、第１の導光板４の光入射面４ｃに入射する。そして、第１の導光板４の中で全反射を繰り返して拡散する。第１の導光板４の中を全反射して拡散した光は、第１の導光板４の裏面４ｂに配置された光散乱物質４１に当たったときに散乱光Ｌ４１となって、第１の導光板４の光出射面４ａ（液晶表示素子１側の面）から射出される。散乱光Ｌ４１は第１の導光板４の光出射面４ａ全体から発せられて、面状のシアン色の照明光となる。
【００１８】
第２の導光板５の光出射面５ａから発せられた面状の散乱光Ｌ５１と、第１の導光板４の光出射面４ａから発せられた面状の散乱光Ｌ４１は、拡散性のある第２の光学シート３と、表示画面に対する法線方向に集光する作用を有する第１の光学シート２を通過する過程で混色されて、白色の照明光Ｌ９０となる。白色の照明光Ｌ９０は、液晶表示素子１の背面を照射する。
【００１９】
液晶表示素子１は、画素ごとに３原色に対応したカラーフィルタと、光の透過率を制御する液晶素子を備えている。液晶表示素子１の背面を照射する白色の照明光Ｌ９０は、画素ごとに３色のカラーフィルタを透過する光の量の制御を受けて、画像光として液晶表示素子１の表面に発せられる。反射シート６は、第２の光学シート３等に反射して、液晶表示素子１とは反対側に向かう散乱光Ｌ４１，Ｌ５１を、液晶表示素子１側に向けて反射するために配置されている。
【００２０】
図７は、第１の導光板４の光入射面４ｃに入射した第１の光源７１（シアン色のＬＥＤ）の出力光の拡散の様子を示す平面図である。また、図８は、第２の導光板５の光入射面５ｃに入射した第２の光源７２（赤色のレーザーダイオード）の出力光の拡散の様子を示す平面図である。レーザーダイオードの出力光は指向性が非常に高いため、第２の導光板５の光入射面５ｃに拡散シート８を配置する。図８において、第２の光源７２の出力光Ｌ７２ａは、拡散シート８を通過して拡散光Ｌ７２ｂとなり、第２の導光板５に入射する。
【００２１】
図７において、第１の光源７１（ＬＥＤ）の出力光は指向性が比較的低い。よって、第１の光源７１から発せられて第１の導光板４の中を拡散する拡散光Ｌ７１の光入射面４ｃの近傍における光束の密度は比較的高くなる。
【００２２】
一方、図８において、第２の光源７２（レーザーダイオード）の出力光Ｌ７２ａは、拡散シート８により配向角度が拡大されて拡散光Ｌ７２ｂとなるが、第１の光源７１の拡散光Ｌ７１よりも配向角度は小さい。よって、第２の導光板５の中を拡散する拡散光Ｌ７２ｂの光入射面５ｃ近傍における光束の密度は、比較的低くなる。
【００２３】
従って、表示画面において白色照明光Ｌ９０の色のバランスを崩さないためには、第２の導光板５においては、光入射面５ｃ付近で、第１の導光板４よりも光拡散物質５１を多めに配置する必要がある。これにより、比較的少ない光束密度の中からより効率よく散乱光Ｌ５１を取り出すことができる。
【００２４】
図９は、第１の導光板４の裏面４ｂの平面図である。第１の導光板４の裏面４ｂには光散乱物質４１が、例えば図９に示すパターンの様に配置されている。図９に示す光散乱物質４１の配置パターンは、指向性が低く、かつ到達距離の短い第１の光源７１（ＬＥＤ）に適した配置パターンである。光散乱物質４１は、複数の点として配置される。各点の面積は、第１の光源７１からの距離（即ち、光入射面４ｃからの距離）に応じて変化する。具体的には、第１の光源７１に近い領域では、光束量が多いため、光散乱物質４１を配置する面積を小さくして散乱光Ｌ４１の量を抑える。一方、第１の光源７１から遠い領域では、光束量が少なくなるため、光散乱物質４１を配置する面積を大きくして散乱光Ｌ４１を増加させる。このように光散乱物質４１を配置することによって、第１の導光板４の光出射面４ａにおける面状光の輝度を均一にする。
【００２５】
図１０は、第２の導光板５の裏面５ｂの平面図である。第２の導光板５の裏面５ｂには光散乱物質５１が、例えば図１０に示すパターンの様に配置されている。図１０に示す光散乱物質５１の配置パターンは、指向性が高く、かつ到達距離の長い第２の光源７２（レーザーダイオード）に適した配置パターンである。光散乱物質５１は、複数の点として配置される。各点の面積は、第２の光源７２からの距離（即ち、光入射面５ｃからの距離）に応じて変化する。具体的には、光散乱物質４１の配置パターンと同様に、第２の光源７２に近い領域では、光束量が多いため、光散乱物質５１を配置する面積を小さくして散乱光Ｌ５１の量を抑える。一方、第２の光源７２から遠い領域では、光束量が少なくなるため、光散乱物質５１を配置する面積を大きくして散乱光Ｌ５１を増加させる。このように光散乱物質５１を配置することによって、第２の導光板５の光出射面５ａにおける面状光の輝度を均一にする。
【００２６】
ただし、光散乱物質４１，５１の配置パターンにおいては、第２の光源７２の方が第１の光源７１よりも指向性が高く、到達距離が長いという特徴を考慮する。つまり、第２の導光板において、光入射面５ｃの近くの領域においては、光散乱物質５１を配置する面積は、光散乱物質４１を配置する面積よりも大きくする。一方、光入射面５ｃから遠い領域においては、光散乱物質５１を配置する面積は、光散乱物質４１を配置する面積よりも小さくする。以上のように光散乱物質４１，５１を配置することによって、シアンと赤が均一に混ざった、色バランスに優れた白色光を得ることができる。
【００２７】
以上で説明したように、前提技術においては、光源の種類の数だけ導光板を配置する必要があった。従って、導光板の枚数が増大して、面光源装置の重量、厚み、製造コストが増大する問題があった。
【００２８】
＜実施の形態＞
図１、図２は、本実施の形態における面光源装置１１０を含む液晶表示装置１００の分解斜視図と断面図である。
【００２９】
図１および図２に示すように、液晶表示装置１００は、面光源装置１１０、液晶表示素子１、第１の光学シート２、第２の光学シート３を備える。面光源装置１１０は、導光板９、反射シート６、複数の第１の光源７１、複数の第２の光源７２を備える。
【００３０】
図３は、本実施の形態における第１、第２の光源７１，７２のそれぞれの指向性を説明する図である。本実施の形態においては、前提技術と同じように、第１の光源７１はシアン色ＬＥＤであるとする。また、第２の光源７２は赤色の半導体レーザーダイオードであるとする。第１の光源７１は、図３に示すように出力光の指向性が比較的低く、かつ光の到達距離の短い光源である。第２の光源７２は、出力光の指向性が比較的高く、かつ光の到達距離の長い光源である。
【００３１】
図４は、導光板９の平面図である。導光板９の裏面９ｂ（反射シート６側の面）には第１の光散乱物質９１および第２の光散乱物質９２が複数の点として配置されている。導光板９の光入射面９ｃに対向して、複数の第１の光源７１と複数の第２の光源７２とが交互に配置される。
【００３２】
図２において、散乱光Ｌ９１は、導光板９の内部で全反射を繰り返している光が第１の光散乱物質９１に当たって、導光板９の光出射面９ａから射出された光である。散乱光Ｌ９２は、導光板９の内部で全反射を繰り返している光が第２の光散乱物質９２に当たって、導光板９の光出射面９ａから射出された光である。照明光Ｌ９０は、赤い散乱光Ｌ９２とシアン色の散乱光Ｌ９２とが、第２の光学シート３および第１の光学シート２を通過する過程で混色された白色光である。照明光Ｌ９０は、液晶表示素子１の背面（第１の光学シート２側の面）を照らす。
【００３３】
一般的に、光散乱物質としては酸化チタンなどが採用される。酸化チタンの特性として、その粒子径の２倍の波長の光を最も強く散乱する性質がある。本実施の形態では、例えば粒子径が２８５ｎｍよりも小さい酸化チタンを第１の光散乱物質とする。第１の光散乱物質を含む塗料を、第１の塗料とする。また、粒子径が２８５ｎｍよりも大きい酸化チタンを第２の光散乱物質とする。第２の光散乱物質を含む塗料を、第２の塗料とする。第１の光散乱物質９１に当たった光は、波長が５７０ｎｍよりも小さい（即ち、シアン色が相対的に強い）散乱光Ｌ９１となる。また、第２の光散乱物質９２に当たった光は、波長が５７０ｎｍよりも大きい（即ち、赤味が相対的に強い）散乱光Ｌ９２となる。
【００３４】
＜動作＞
本発明の実施形態における液晶表示装置１００の動作について説明する。第１の光源７１の出力光と、第２の光源７２の出力光は、導光板９の光入射面９ｃに入射して、導光板９の中で全反射を繰り返して拡散する。導光板９の中を全反射して拡散した光は、導光板９の裏面９ｂに塗布された第１の光散乱物質９１に当たったときにシアン色の強い散乱光Ｌ９１となって、導光板９の外に発せられる。結果的に、散乱光Ｌ９１は、シアン色である第１の光源７１の出力光の比率が高くなる。
【００３５】
また、導光板９の中を全反射して拡散した光は導光板９の裏面９ｂに塗布された第２の光散乱物質９２に当たったときに赤味の強い散乱光Ｌ９２となって、導光板９の外に発せられる。結果的に、散乱光Ｌ９２は、赤色である第２の光源７２の出力光の比率が高くなる。散乱光Ｌ９１，Ｌ９２は、導光板９の光出射面９ａ全体から発せられる。
【００３６】
導光板９の光出射面９ａから発せられた面状の散乱光Ｌ９１，Ｌ９２は、拡散性のある第２の光学シート３と、表示画面に対する法線方向に集光する作用を有する第１の光学シート２を通過する過程でさらに混色されて、さらに均一な白色の照明光Ｌ９０となって、液晶表示素子１の背面を照射する。
【００３７】
液晶表示素子１は、画素ごとに３原色に対応したカラーフィルタと、光の透過率を制御する液晶素子を備えている。液晶表示素子１の背面を照射する白色の照明光Ｌ９０は、画素ごとに３色のカラーフィルタを透過する光の量の制御を受けて、画像光として液晶表示素子１の表面に発せられる。反射シート６は、第２の光学シート３等に反射して、液晶表示素子１とは反対側に向かう散乱光Ｌ９１，Ｌ９２を、液晶表示素子１側に向けて反射するために配置されている。
【００３８】
図３は、導光板９の光入射面９ｃに入射した第１、第２の光源７１，７２の出力光の拡散の様子を示す平面図である。第２の光源（レーザーダイオード）の出力光は指向性が非常に高いため、導光板９の光入射面９ｃに拡散シート８を配置する。図３において、第２の光源７２の出力光Ｌ７２ａは、拡散シート８を通過して拡散光Ｌ７２ｂとなり、導光板９に入射する。
【００３９】
図３において、第１の光源７１（ＬＥＤ）の出力光は指向性が比較的低い。よって、第１の光源７１から発せられて導光板９の中を拡散する拡散光Ｌ７１の光入射面９ｃの近傍における光束の密度は比較的高くなる。
【００４０】
一方、図３において、第２の光源７２（レーザーダイオード）の出力光Ｌ７２ａは、拡散シート８により拡散角度が拡大されて拡散光Ｌ７２ｂとなるが、第１の光源７１の拡散光Ｌ７１よりも配向角度は小さい。よって、導光板９の中を拡散する拡散光Ｌ７２ｂの光入射面９ｃ近傍における光束の密度は、比較的低くなる。
【００４１】
従って、画面の有効領域１０において白色照明光Ｌ９０の色のバランスを崩さないためには、光源近傍（即ち、光入射面９ｃ近傍）において、比較的光束密度の高いシアン色の拡散光Ｌ７１から取り出す散乱光Ｌ９１よりも、比較的光束密度の低い赤色の拡散光Ｌ７２ｂから取り出す散乱光Ｌ９２の光量を大きくする必要がある。つまり、光源近傍においては、第２の光源７２の拡散光Ｌ７２ｂから散乱光Ｌ９２への変換効率をより高くする必要がある。
【００４２】
図４は、導光板９の裏面９ｂの平面図である。導光板９の裏面９ｂには、第１の光散乱物質９１および第２の光散乱物質９２が、例えば図４に示すパターンの様に配置されている。導光板９の裏面９ｂに第１の塗料により印刷が行われ、第１の光拡散物質９１が配置される。また、導光板９の裏面９ｂに第２の塗料により印刷が行われ、第２の光拡散物質９２が配置される。つまり、同一の導光板９の裏面９ｂには、２種類の塗料により２種類の光拡散物質が印刷されている。
【００４３】
図４に示す、第１の光散乱物質９１の配置パターンは、指向性が低く、かつ到達距離の短い第１の光源７１（ＬＥＤ）に適した配置パターンである。第１の光散乱物質９１は、複数の点として配置される。各点の面積は、第１の光源７１からの距離（即ち、光入射面９ｃからの距離）に応じて変化する。具体的には、第１の光源７１に近い領域では、拡散光Ｌ７１の光束量が多いため、第１の光散乱物質９１を配置する面積を小さくして散乱光Ｌ９１の量を抑える。一方、第１の光源７１から遠い領域では、拡散光Ｌ７１の光束量が少なくなるため、第１の光散乱物質９１を配置する面積を大きくして散乱光Ｌ９１を増加させる。このように第１の光散乱物質９１を配置することによって、導光板９の光出射面９ａにおいて、第１の光源７１から出力されるシアン色の光を輝度が均一な面状光とすることができる。
【００４４】
図４に示す、第２の光散乱物質９２の配置パターンは、指向性が高く、かつ到達距離の長い第２の光源７２（レーザーダイオード）に適した配置パターンである。第２の光散乱物質９２は、複数の点として配置される。各点の面積は、光源からの距離（即ち、光入射面９ｃからの距離）に応じて変化する。具体的には、第１の光散乱物質９１の配置パターンと同様に、第２の光源７２に近い領域では、拡散光Ｌ７２ｂの光束量が多いため、第２の光散乱物質９２を配置する面積を小さくして散乱光Ｌ９２の量を抑える。一方、第２の光源７２から遠い領域では、拡散光Ｌ７２ｂの光束量が少なくなるため、第２の光散乱物質９２を配置する面積を大きくして散乱光Ｌ９２を増加させる。このように第２の光散乱物質９２を配置することによって、導光板９の光出射面９ａにおいて、第２の光源７２から出力される赤色の光を輝度が均一な面状光とすることができる。
【００４５】
ただし、第１、第２の光散乱物質９１，９２の配置パターンにおいては、第２の光源７２の方が第１の光源７１よりも指向性が高く、到達距離が長いという特徴を考慮する。つまり、導光板９において、光入射面９ｃの近くの領域においては、第２の光散乱物質９２を配置する面積は、第１の光散乱物質９１を配置する面積よりも大きくする。一方、光入射面９ｃから遠い領域においては、第２の光散乱物質９２を配置する面積は、第１の光散乱物質９１を配置する面積よりも小さくする。以上のように第１、第２の光散乱物質９１，９２を配置することによって、シアンと赤が均一に混ざった、色バランスに優れた白色光を得ることができる。
【００４６】
＜効果＞
本実施の形態における面光源装置１１０は、複数種類の光源（即ち、第１、第２の光源７１，７２）と、側面に光入射面９ｃ、主面に光出射面９ａを有する導光板９と、導光板９の光出射面９ａと反対側の面（即ち裏面９ｂ）に塗布された複数種類の塗料（即ち第１、第２の塗料）と、を備え、複数種類の光源は、導光板９の光入射面９ｃに対向して配置され、複数種類の塗料は、互いに光散乱特性が異なり、複数種類の塗料は、互いに重ならずに塗布されている。
【００４７】
従って、一つの導光板９に複数種類の光源からの光が入射する場合であっても、光散乱特性の異なる複数種類の塗料を導光板９に塗布することにより、光源の種類ごとに、選択的に光を散乱させることが可能となる。よって、前提技術のように、光源の種類ごとに複数の導光板を用意する必要がないため、本実施の形態では、導光板の枚数を削減することが可能である。つまり、面光源装置の重量、厚み、製造コストの増大を抑制することが可能である。
【００４８】
また、本実施の形態における面光源装置１１０において、複数種類の塗料（即ち第１、第２の塗料）は、白色であり、複数種類の塗料は、光散乱特性として波長選択性が互いに異なる。
【００４９】
従って、波長選択性の異なる複数種類の塗料を導光板９に塗布することにより、波長の異なる複数種類の光が導光板９に入射する場合であっても、光の色ごとに、選択的に光を散乱させることが可能となる。
【００５０】
また、本実施の形態における面光源装置１１０において、複数種類の塗料（即ち第１、第２の塗料）は、互いに粒子径の異なる酸化チタンを含む。
【００５１】
酸化チタンの特性として、その粒子径の２倍の波長の光を最も強く散乱する性質がある。よって、複数種類の塗料に、互いに粒子径の異なる酸化チタンを含ませることによって、複数種類の塗料に異なる波長選択性を持たせることが可能となる。
【００５２】
また、本実施の形態における面光源装置１１０において、複数種類の光源（即ち第１、第２の光源７１，７２）は、ＬＥＤと、レーザーダイオードと、を含む。
【００５３】
従って、本実施の形態では、波長選択性の異なる複数の塗料を導光板９に塗布することにより光の散乱を行う。よって、ＬＥＤとレーザーダイオードのように、出力光の拡散角度が大きく異なる２種類の色の光源を用いた場合であっても、一枚の導光板９において、散乱光の色および散乱光の強度を制御することが可能である。
【００５４】
また、本実施の形態における面光源装置１１０において、複数種類の光源（即ち第１、第２の光源７１，７２）の種類は、出力光の配向角度の種類であり、複数種類の光源の種類の数と、複数種類の塗料（即ち第１、第２の塗料）の種類の数が等しい。
【００５５】
従って、出力光の配向角度が異なる複数種類の光源において、出力光の色も互いに異なる場合は、光源の種類に対応した、光散乱特性の異なる複数種類の塗料を導光板９に塗布することにより、一枚の導光板９において、光源の種類ごとに散乱光の色および散乱光の強度を制御することが可能である。
【００５６】
また、本実施の形態における面光源装置１１０において、複数種類の光源（即ち第１、第２の光源７１，７２）の種類は、出力光の色の種類であり、複数種類の光源の種類の数と、複数種類の塗料（即ち第１、第２の塗料）の種類の数が等しい。
【００５７】
従って、光源の色の種類に対応した、光散乱特性の異なる複数種類の塗料を導光板９に塗布することにより、一枚の導光板９において、光源の種類ごとに散乱光の色および散乱光の強度を制御することが可能である。
【００５８】
また、本実施の形態における面光源装置１１０において、複数種類の塗料（即ち第１、第２の塗料）のそれぞれは、平面視で複数の点として塗布されており、複数の点のそれぞれの面積は、複数種類の光源（即ち第１、第２の光源７１，７２）からの距離に応じて変化する。
【００５９】
従って、複数種類の塗料のそれぞれにおいて、光源からの距離に応じて塗布する面積を変化させることによって、光源からの距離に応じて散乱光の強度を変化させることが可能である。つまり、複数種類の光源のそれぞれにおいて、光源からの距離に応じて光散乱強度を制御することが可能である。これにより、複数種類の光源において出力光の配向角度が異なる場合であっても、輝度が均一な面状光を得ることができる。
【００６０】
また、本実施の形態における液晶表示装置１００は、面光源装置１１０と、面光源装置１１０に重ねて配置される液晶表示素子１と、を備える。
【００６１】
本実施の形態における面光源装置１１０は、複数種類の光源を配置した場合であっても、一枚の導光板９で面状光を作ることが可能である。従って、本実施の形態における液晶表示装置１００の重量、厚み、製造コストの増大を抑制することが可能である。
【００６２】
なお、本発明は、その発明の範囲内において、実施の形態を適宜、変形、省略することが可能である。
【符号の説明】
【００６３】
１  液晶表示素子、２  第１の光学シート、３  第２の光学シート、４  第１の導光板、４ａ，５ａ，９ａ  光出射面、４ｂ，５ｂ，９ｂ  裏面、４ｃ，５ｃ，９ｃ  光入射面、５  第２の導光板、６  反射シート、８  拡散シート、９  導光板、１０  画面の有効領域、４１，５１  光散乱物質、９１  第１の光散乱物質、９２  第２の光散乱物質、１００，２００  液晶表示装置、１１０，２１０  面光源装置、Ｌ４１，Ｌ５１，Ｌ９１，Ｌ９２  散乱光、Ｌ７１，Ｌ７２ｂ  拡散光、Ｌ７２ａ  出力光、Ｌ９０  照明光。
【図１】
2015216037.tif 000003
【図２】
2015216037.tif 000004
【図３】
2015216037.tif 000005
【図４】
2015216037.tif 000006
【図５】
2015216037.tif 000007
【図６】
2015216037.tif 000008
【図７】
2015216037.tif 000009
【図８】
2015216037.tif 000010
【図９】
2015216037.tif 000011
【図１０】
2015216037.tif 000012